(57)【要約】【課題】 観察方向や照明の方向により図柄や色彩が変化するＯＶＤ又はＯＶＤが貼付されたサンプルの表示方法及び評価・判別方法を提供する。【解決手段】ＯＶＤを、サンプルを固定するホルダ、撮影手段、照射手段で構成される撮影装置を用いて撮影することにより表示方法であって、前記ＯＶＤをホルダに固定し、前記ホルダに保持されたＯＶＤを照射手段で照射し、前記照射されたＯＶＤに対し、前記撮影手段で一定の環境の中で方向を変えて順次撮影し、前記撮影された画像を、前記撮影手段の角度変化に合わせて記録手段に記録し、前記記録手段に記録された画像の図柄及び色彩の変化の度合いを前記撮影手段の角度情報とともに一覧に表示する。【選択図】  図１
2007256229.tif 000002
【特許請求の範囲】
【請求項１】
基材を固定するホルダ、撮影手段、照射手段で構成される撮影装置を用いて撮影することにより表示する方法であって、
前記ホルダにＯＶＤを固定し、
前記ホルダに保持された前記ＯＶＤを照射手段で照射し、
前記照射されたＯＶＤに対し、前記撮影手段で一定の環境の中で方向を変えて順次撮影し、
前記撮影された画像を、前記撮影手段の角度変化に合わせて記録手段に記録し、
前記記録手段に記録された画像の図柄及び色彩の変化の度合いを前記撮影手段の角度情報とともに一覧に表示することを特徴とするＯＶＤの表示方法。
【請求項２】
基材を固定するホルダ、撮影手段、照射手段で構成される撮影装置を用いて撮影することにより表示し、評価・判別する方法であって、
前記ホルダにＯＶＤを固定し、
前記ホルダに保持された前記ＯＶＤを照射手段で照射し、
前記照射されたＯＶＤに対し、前記撮影手段で一定の環境の中で方向を変えて順次撮影し、
前記撮影された画像を、前記撮影手段の角度変化に合わせて記録手段に記録し、
前記記録手段に記録された画像の図柄及び色彩の変化の度合いを前記撮影手段の角度情報とともに一覧に表示し、
前記一覧に表示された撮影図柄を、あらかじめ基準として設定した撮影図柄の一覧表と比較することで、前記ＯＶＤの評価・判別を行うことを特徴とするＯＶＤの評価・判別方法。
【発明の詳細な説明】
【技術分野】
【０００１】
本発明は、ＯＶＤの表示方法及び評価・判別方法に関するものである。特に、貴重製品などに付与して偽造防止として用いられるＯＶＤの品質や効果の評価・判別を容易に行うことができるＯＶＤの評価・判別に関する。
【背景技術】
【０００２】
近年、従来からある、光の干渉を用いて立体画像や特殊な装飾画像又は特殊な色の変化等を表現し得るホログラムや回折格子、また、光学特性の異なる薄膜を光学的に適当な多層に重ねることによって、見る角度により色の変化（カラーシフト）が生じる多層薄膜等の技術を利用した、いわゆるＯＶＤ（Ｏｐｔｉｃａｌ Ｖａｒｉａｂｌｅ  Ｄｅｖｉｃｅの略）が開発されており、これらの技術は高度な製造技術を要し、複製が難しいことから有効な偽造防止手段として利用されている。
【０００３】
このようなＯＶＤは、観測する角度によって変化し、また、ある角度を中心に像が明るく見えるように設計されているため、像の見える範囲が設計の段階で決められている。この像の評価は、通常、目視による視覚効果を利用して行われており、定量的な評価ではないため、観察者や観察条件の違いによって差が生じやすかった。
【０００４】
また、ホログラムの良否を判別する方法として、一定の条件下でホログラムの再生を行い、その再生画像を画像処理装置により検証する方法も知られている。
【０００５】
さらに、画像処理装置により検証する代わりに、検証の基準となるホログラムをあらかじめ用意し、目視により比較することで、ホログラムの良否を判別する方法も提案されている。
【０００６】
また、評価すべきホログラムを基準軸線上に位置するようにサンプル台に配置し、サンプルを固定するホルダ、光源装置又は測定機器を、基準軸線を中心として所望角度位置に旋回させることにより、観察角を所望の角度とすることができ、ホログラムへの照射光の入射角及びホログラム回折光の観測角を容易に所望の角度に設定してホログラムの色や明るさを測定するホログラム評価装置（例えば、特許文献１）が提案されている。
【０００７】
【特許文献１】特開２００２−３９９１０号公報
【発明の開示】
【発明が解決しようとする課題】
【０００８】
しかし、従来から行われている目視による検証では、ＯＶＤの図柄が一種類であれば、測定者が手にＯＶＤを持って観察しても、ＯＶＤの品質やその効果を比較的容易に評価できるが、ＯＶＤの図柄が複数あると、異なるＯＶＤとの比較又は偽変造の疑いがあるＯＶＤとの比較を行う場合、ＯＶＤの複数の図柄の位置や色彩等を正確に評価しなければならず、感覚的に行うと再現性がない上に、評価のための観察方法や観察部分の特定にコツが必要であり、測定者によって測定結果にばらつきが生じ易いという問題があった。
【０００９】
また、ホログラムの再生条件下でホログラムの再生を行い、その検証を行う方法では、再生条件を少しでも変化させてしまうとＯＶＤの図柄や色彩の再生が異なってしまうという問題があった。細かい角度で分析するためには、常に一定の再生条件とする必要があること、また、ＯＶＤの図柄と色彩の再生を意図的に変える場合には、その都度、基準となるホログラムを個別に用意する必要があるという問題があった。
【００１０】
また、特許文献１に記載されたホログラムの検証方法では、ホログラムへの照射光の入射角及びホログラム回折光の観測角を容易に所望の角度に設定してホログラムの色や明るさを測定して変角特性を求めるもので、それらを撮影して画像を記録するものではない。
【００１１】
また、ＯＶＤをカメラなどで撮影する場合も、カメラ、照明、ＯＶＤの位置などがわずかに異なると、得られた画像も異なるため、常に同一条件下で撮影できる装置が必要であった。
【００１２】
そこで、本発明は係る問題点にかんがみてなされたもので、ＯＶＤを一定の環境の下で方向を変えて撮影し、その撮影した画像情報を一定の角度情報とともに一覧表示するＯＶＤの表示方法及びその品質や効果の評価・判別を容易に行うことが可能なＯＶＤの評価・判別方法を提供することを目的とする。
【課題を解決するための手段】
【００１３】
本発明のＯＶＤの表示方法は、基材を固定するホルダ、撮影手段、照射手段で構成される撮影装置を用いて撮影することにより表示する方法であって、前記ホルダにＯＶＤを固定し、前記ホルダに保持されたＯＶＤを照射手段で照射し、前記照射されたＯＶＤに対し、前記撮影手段で一定の環境の中で方向を変えて順次撮影し、前記撮影された画像を、前記撮影手段の角度変化に合わせて記録手段に記録し、前記記録手段に記録された画像の図柄及び色彩の変化の度合いを前記撮影手段の角度情報とともに一覧に表示することを特徴とする。
【００１４】
本発明のＯＶＤ画像の評価・判別方法は、基材を固定するホルダ、撮影手段、照射手段で構成される撮影装置を用いて撮影することにより表示し、評価・判別する方法であって、前記ホルダにＯＶＤを固定し、前記ホルダに保持されたＯＶＤを照射手段で照射し、前記照射されたＯＶＤに対し、前記撮影手段で一定の環境の中で方向を変えて順次撮影し、前記撮影された画像を、前記撮影手段の角度変化に合わせて記録手段に記録し、前記記録手段に記録された画像の図柄及び色彩の変化の度合いを前記撮影手段の角度情報とともに一覧に表示し、前記一覧に表示された撮影図柄を、あらかじめ基準として設定した撮影図柄の一覧表と比較することで、前記ＯＶＤの評価・判別を行うことを特徴とする。
【発明の効果】
【００１５】
本発明のＯＶＤの表示方法及び評価・判別方法によれば、ＯＶＤの品質や効果を容易に評価し判別することが可能となる。
【発明を実施するための最良の形態】
【００１６】
以下に、本発明の実施の形態１によるＯＶＤの表示方法及び評価・判別方法について説明する。
【００１７】
ここでＯＶＤとは、光の干渉を用いて立体画像や特殊な装飾画像又は特殊な色の変化等を表現し得るホログラムや回折格子、また、光学特性の異なる薄膜を光学的に適当な多層に重ねることによって、見る角度により色の変化（カラーシフト）が生じる多層薄膜等の技術及びこれらを貼付又は印刷することで得られる物すべてを総称する。
【００１８】
第１の実施の形態に係るＯＶＤ又はＯＶＤが貼付されたサンプルを様々な角度から観察、撮影する装置の概略斜視図を図１に示す。図1（ａ）は、一定の環境の中で方向を変えて撮影する撮影装置の基本構成であり、撮影対象であるＯＶＤ又はＯＶＤが貼付されたサンプル１、サンプルを固定するホルダ２、照明３、ＯＶＤを撮影するカメラ５、から構成されている。図１（ｂ）は、ＯＶＤ又はＯＶＤが貼付されたサンプル１をホルダ２に固定し、ＯＶＤ表面に対して垂直方向から見た平面図を、また、図１（ｃ）は、ＯＶＤ表面に対して水平方向から見た平面図を示すものである。
【００１９】
本実施の形態の撮影装置の基本構成であるホルダ２、照明３及びカメラ５により、サンプル１に対して設定した角度領域が撮影可能となり、更に照明は常に一定位置であるため同一条件下での評価ができる。また、これらのホルダ２、照明３及びカメラ５の角度は自由に設定可能であり、どのような角度での撮影も可能である。
【００２０】
ＯＶＤ又はＯＶＤが貼付されたサンプルを様々な角度から観察、撮影するために、Ａ−Ａ'、Ｂ−Ｂ'、Ｃ−Ｃ'軸の３軸が直交する空間を設定する。ホルダに固定されたＯＶＤ又は基材に貼付されたＯＶＤの表面の中心をＹ軸方向に通る基準軸をＡ−Ａ'軸とし、Ｘ軸方向に通る基準軸をＣ−Ｃ'軸とし、Ｚ軸方向に通る基準軸をＢ−Ｂ'軸とし、ＯＶＤ又は基材に貼付されたＯＶＤの表面の中心、即ちＡ−Ａ'、Ｂ−Ｂ'、Ｃ−Ｃ'軸の３軸が直交する位置Ｘ（０,０,０）をサンプルの中心とする。サンプルはＢ−Ｂ'軸方向に正面が向いている状態である。
【００２１】
照明３は、Ａ−Ａ’、Ｂ−Ｂ’軸で構成する平面上に、Ｂ−Ｂ’軸から一定の角度で固定し、サンプルを照明する。
【００２２】
撮影するカメラ５は、ホルダに固定されたサンプルに対して、サンプルの中心とカメラの中心が一定距離を保持しながら移動可能であり、カメラの角度としてはサンプルの正面の位置では「０」とし、この「０」の位置を基準として図に示すように上の方向は「＋」、下の方向は「−」とする。
【００２３】
サンプルを固定するホルダ２は、Ａ−Ａ’軸を中心として右回転、左回転し、移動する。サンプルの中心が位置Ｘ（０,０,０）にあり、Ｂ−Ｂ’軸方向に向いている場合を「０」とし、右回転は「−」、左回転は「＋」とする。
【００２４】
また、ＯＶＤを３６０度変化させると１００％の画像の変化が見られ、遷移する画像の情報を角度の情報と共に得ることができる装置がある。例えば、アップルコンピュータのＱｕｉｃｋ  Ｔｉｍｅ（登録商標）ムービープレイヤー、あるいはマイクロソフト社のＭｅｄｉａ  Ｐｌａｙｅｒ（登録商標）マルチメディアプレイヤー等があり、これらの装置を用いて角度を３６０度変化させて撮影した画像を記録手段に収集する。
【００２５】
収集した画像をサムネイル化し、方向の変化に合わせてプラウザ等に配置することで、図柄や色彩の変化する度合いを方向(角度)の情報とともに一覧できる表を作成する。
【００２６】
図２に、図１の撮影装置を用いて、ＯＶＤ又はＯＶＤが貼付されたサンプル１を所定の角度ごとに撮影し、撮影した画像を観察位置に合わせて配置し一覧にする表を示す。
【００２７】
この表の場合、Ｃ―Ｃ’軸方向はＯＶＤ又はＯＶＤが貼付されたサンプル１の回転角度で、Ｃ―Ｃ’軸を左右に−３５度〜＋３５度で５度ずつ角度を変化させる。また、Ｂ―Ｂ’軸を中心にＡ―Ａ’軸方向はカメラの観察角度で、Ｃ―Ｃ’を軸としたＯＶＤ又はＯＶＤが貼付されたサンプル１に対して上下に−３０度〜＋３０度で５度ずつ角度を変化させる。ＯＶＤ又はＯＶＤが貼付されたサンプルとカメラの角度を変化させて撮影した画像で表を完成させる。得られた表の中の１つの画像をクリックすると、撮影時の画像を記憶させた記憶部とリンクされているので、サンプル（ＯＶＤ）の評価を容易にすることが可能となる。
【００２８】
一覧表は、特定の位置で撮影されたＯＶＤ又はＯＶＤが貼付されたサンプルの図柄や色彩の変化（遷移）の度合いを持って表示されるので、注目する模様が現れている範囲を明確に把握すること、また、模様の切り替わりのタイミングが適切であるかというような品質やその効果を容易に評価することができ、ある特定の画像をクリックすれば、撮影時の画像にリンクされているため詳細画像として確認することができる。
【００２９】
また、この一覧表の構成は限定されるものでなく、目的とするサンプルによって自由に設定可能である。本実施の形態では、上記したようにＡ−Ａ’、Ｂ−Ｂ’及びＣ−Ｃ’軸の３軸が直交している空間の中で、サンプルの中心がＡ−Ａ’、Ｂ−Ｂ’及びＣ−Ｃ’軸の３軸が直交している位置にあり、ＯＶＤ又はＯＶＤが貼付されたサンプルの左右の振り幅を±３５度、カメラの上下の振り幅を±３０度と設定したので、この場合、横方向（サンプルの回転角度）は１５分割されているので、真ん中を０とし左右に５度刻みで撮影することになる。また、縦方向（カメラの観察角度）は７分割されているので、真ん中を０とし上下に１０度刻みで撮影することになる。
【００３０】
（実施例１）
図３〜図８に、上記第１の実施の形態における実施例１として、ＯＶＤ又はＯＶＤが貼付されたサンプルを撮影装置で撮影する方法の一例を示す。撮影装置は図１を、画像の表示一覧表は図２を使用する。本発明は、本実施例に限定されるものではなく、一定の環境の中で条件を変えて撮影する装置によって画像を収集し、その撮影した画像を方向の変化に合わせて任意に配置し、品質やその効果を容易に評価・判別するものである。
【００３１】
本実施例では、サンプルを固定するホルダ２は、ＯＶＤ又はＯＶＤが貼付されたサンプル１の中心が位置Ｘ（０,０,０）にあり、Ｂ−Ｂ’軸方向に向いている場合を「０」とし、Ａ−Ａ’軸を中心として右回転の「−」方向に３５度、左回転の「＋」方向に３５度に角度が変化する構成としている。
【００３２】
照明３は、Ａ−Ａ’、Ｂ−Ｂ’軸で構成する平面上に、Ｂ−Ｂ’軸から一定の角度で固定した。
【００３３】
撮影するカメラ５は、ホルダに固定されたサンプルに対して、サンプルの中心とカメラの中心が一定距離を保持しながら移動可能であり、カメラの角度としてはサンプルの正面の位置では「０」とし、この「０」の位置を基準として図に示すように「＋」方向に３０度、「−」方向に３０度に回転する構成としている。
【００３４】
図３は、図１の装置で、ＯＶＤ又はＯＶＤが貼付されたサンプル１及びカメラ５が正面の位置（縦０度、横０度）で観察している状態である（図２の一覧表の８の位置に表示）。
【００３５】
図４は、図１の装置で、ＯＶＤ又はＯＶＤが貼付されたサンプル１が正面で、カメラ５が最も上方の位置（縦３０度、横０度）で観察している状態である（図２の一覧表の９の位置に表示）。
【００３６】
図５は、図１の装置で、ＯＶＤ又はＯＶＤが貼付されたサンプル１が正面で、カメラ５が最も下方の位置（縦−３０度、横０度）で観察している状態である（図２の一覧表の１０の位置に表示）。
【００３７】
図６は、図１の装置で、ＯＶＤ又はＯＶＤが貼付されたサンプル１がＣ―Ｃ’軸を最も左の位置（縦０度、横−３５度）に回転した状態に対して、カメラ５が正面の位置で観察している状態である（図２の一覧表の１１の位置に表示）。
【００３８】
図７は、図１の装置で、ＯＶＤ又はＯＶＤが貼付されたサンプル１がＣ―Ｃ’軸を最も左の位置（縦０度、横−３５度）に回転した状態に対して、カメラ５が最も上方の位置（縦３０度、横−３５度）で観察している状態である（図２の一覧表の１２の位置に表示）。
【００３９】
図８は、図１の装置で、ＯＶＤ又はＯＶＤが貼付されたサンプル１がＣ―Ｃ’軸を最も左の位置（縦０度、横−３５度）に回転した状態に対して、カメラ５が最も下方の位置（縦−３０度、横−３５度）で観察している状態である（図２の一覧表の１３の位置に表示）。
【００４０】
以上のようにして、一覧表の横方向（サンプルの回転角度）と縦方向（カメラの観察角度）のます目を全て埋めるように、ＯＶＤ又はＯＶＤが貼付されたサンプル１とカメラ５の位置を設定して撮影し、一覧表を完成させる。
【００４１】
（実施例２）
次に、図９〜図１２に、上記第１の実施の形態における実施例２として、ＯＶＤとして角度によって３つの画像（Ａ、Ｂ、Ｃ）にスイッチする１枚のＯＶＤ記録媒体に記録したサンプル１４を用いて撮影装置で撮影し、一覧表を作成する一例を示す。撮影装置は図１を、画像の表示一覧表は図２を使用し、その他の条件は実施例１と同様である。
【００４２】
図９は、図１の撮影装置で、ＯＶＤサンプル１４を固定したホルダがＣ―Ｃ’軸を左側１５の位置に回転した状態に対して、カメラ５が正面（縦０度、横−２０度）の位置で観察したとき、画像１６に示すようにＯＶＤ模様「Ａ」が観察された。
【００４３】
図１０は、図９の状態から、ＯＶＤサンプル１４を固定したホルダがＣ―Ｃ’軸を右側１７の位置に回転した状態に対して、カメラ５が正面（縦０度、横２０度）の位置で観察したとき、画像１８に示すようにＯＶＤ模様「Ｂ」が観察された。
【００４４】
図１１は、図１０の状態から、ＯＶＤサンプル１４を固定したホルダがＣ―Ｃ’軸を左側１９の位置に回転した状態に対して、カメラ５が下方２０（縦−３０度、横−３５度）の位置で観察したとき、画像２１に示すようにＯＶＤ模様「Ｃ」が観察された。
【００４５】
図１２は、以上の３つの画像を組み込んだＯＶＤサンプル１４を、図９〜図１１の状態で撮影した画像のように、一覧表の横方向（サンプルの回転角度）と縦方向（カメラの観察角度）のます目を全て埋めるように、観察範囲内で所定観察位置ごとにすべて撮影した画像を表に配置した図の例である。
【００４６】
なお、この表において、「Ａ」、「Ｂ」、「Ｃ」の文字がない画像の部分は、カメラ５とＯＶＤサンプル１４の位置関係によりＯＶＤ模様が確認されない画像である。この表からＯＶＤ模様「Ａ」が観察される範囲を容易に把握することができる。同様に「Ｂ」、「Ｃ」及びＯＶＤ模様が観察されない範囲も容易に把握することができる。
【００４７】
実施例２で撮影したＯＶＤサンプル１４の偽変造品が存在した場合、一般に手に持って観察すると、ＯＶＤ模様「Ａ」、「Ｂ」、「Ｃ」が、ＯＶＤサンプルを動かしたり、視点を変えることによって確認されるため、真正物とみなされることがある。
【００４８】
そこで、この偽変造品のサンプルを、図９〜図１２と同様の状態で撮影し、一覧表の横方向（サンプルの回転角度）と縦方向（カメラの観察角度）のます目を全て埋めるように、観察範囲内で所定観察位置ごとに全て撮影した画像を表に配置したのが、図１３の一覧表の例である。図１２と比較して、ＯＶＤ模様「Ａ」、「Ｂ」の出現位置が異なることが容易に確認できるため、ＯＶＤサンプルの真正品ではなく、目視では同様のＯＶＤ模様の変化を持った偽変造品であることが分かる。
【００４９】
（実施例３）
図１４に、上記第１の実施の形態における実施例３によるＯＶＤサンプル１４を様々な角度から観察、撮影する装置の他の例を示す。照明３及びカメラ５は固定で、ＯＶＤサンプル１４を固定するホルダ２の角度が３６０度変更できる構成となっている。Ｅ−Ｅ’を軸とした３つの画像（Ａ、Ｂ、Ｃ）にスイッチするように、１枚のＯＶＤ記録媒体に記録したサンプルを固定するホルダ２を回転させる。
【００５０】
図１５は、図１４の撮影装置を用いて、観察範囲内で所定観察位置ごとに全て撮影した画像を配置した図の例である。ＯＶＤサンプル１４を固定するホルダ２をカメラ５に対して正面（０度）の位置で回転させて観察した時の画像２３を配置したものである。前述した実施例と同様に、ＯＶＤの品質やその効果の評価・判別を行うことができる。
【図面の簡単な説明】
【００５１】
【図１】本実施例１の撮影装置を示す図である。
【図２】本実施例１の撮影画像の一覧を表にする図である。
【図３】ＯＶＤ又はＯＶＤが貼付されたサンプルを観察するカメラの状態を示す図である。
【図４】ＯＶＤ又はＯＶＤが貼付されたサンプルを観察するカメラの状態を示す図である。
【図５】ＯＶＤ又はＯＶＤが貼付されたサンプルを観察するカメラの状態を示す図である。
【図６】ＯＶＤ又はＯＶＤが貼付されたサンプルを観察するカメラの状態を示す図である。
【図７】ＯＶＤ又はＯＶＤが貼付されたサンプルを観察するカメラの状態を示す図である。
【図８】ＯＶＤ又はＯＶＤが貼付されたサンプルを観察するカメラの状態を示す図である。
【図９】実施例２の観察例を示す図である。
【図１０】実施例２の観察例を示す図である。
【図１１】実施例２の観察例を示す図である
【図１２】実施例２の観察例を示す図である
【図１３】偽造品の観察例を示す図である。
【図１４】撮影装置の他の例を示す図である。
【図１５】撮影画像の一覧表の別の例を示す図である
【符号の説明】
【００５２】
１  ＯＶＤ又はＯＶＤが貼付されたサンプル
２  ＯＶＤ又はＯＶＤが貼付されたサンプルを固定するホルダ
３  照明
５  カメラ
８  ＯＶＤ又はＯＶＤが貼付されたサンプル及びカメラが正面の位置で観察しているときの画像
９  ＯＶＤ又はＯＶＤが貼付されたサンプルが正面で、カメラが最も上方（から観察しているときの画像
１０  ＯＶＤ又はＯＶＤが貼付されたサンプルが正面で、カメラが最も下方から観察しているときの画像
１１  カメラが正面で、ＯＶＤ又はＯＶＤが貼付されたサンプルが最も左に回転している状態で観察しているときの画像
１２  ＯＶＤ又はＯＶＤが貼付されたサンプルが最も左に回転し、かつ、カメラが最も上方から観察しているときの画像
１３  ＯＶＤ又はＯＶＤが貼付されたサンプルが最も左に回転し、かつ、カメラが最も下方から観察しているときの画
１４  ３つの画像（Ａ、Ｂ、Ｃ）にスイッチするように、１枚のＯＶＤ記録媒体に記録したサンプル
１５  ３つの画像（Ａ、Ｂ、Ｃ）にスイッチするように、１枚のＯＶＤ記録媒体に記録したサンプルを固定したホルダを−２０度回転した状態
１６  ３つの画像（Ａ、Ｂ、Ｃ）にスイッチするように、１枚のＯＶＤ記録媒体に記録したサンプルを固定したホルダの回転が１５の位置で、カメラが正面の位置で観察したときの画像
１７  ３つの画像（Ａ、Ｂ、Ｃ）にスイッチするように、１枚のＯＶＤ記録媒体に記録したサンプルを固定したホルダを２０度回転した状態
１８  ３つの画像（Ａ、Ｂ、Ｃ）にスイッチするように、１枚のＯＶＤ記録媒体に記録したサンプルを固定したホルダの回転が１７の位置で、カメラが正面の位置で観察したときの画像
１９  ３つの画像（Ａ、Ｂ、Ｃ）にスイッチするように、１枚のＯＶＤ記録媒体に記録したサンプルを固定したホルダを−３５度回転した状態
２０  ３つの画像（Ａ、Ｂ、Ｃ）にスイッチするように、１枚のＯＶＤ記録媒体に記録したサンプルに対してカメラの観察角度を−３０度にした状態
２１  ３つの画像（Ａ、Ｂ、Ｃ）にスイッチするように、１枚のＯＶＤ記録媒体に記録したサンプルを固定したホルダの回転が１９の位置で、カメラが２０の位置で観察したときの画像
２２  Ｅ−Ｅを軸とした３つの画像（Ａ、Ｂ、Ｃ）にスイッチするように、１枚のＯＶＤ記録媒体に記録したサンプルを固定するホルダの回転
２３  ３つの画像（Ａ、Ｂ、Ｃ）にスイッチするように、１枚のＯＶＤ記録媒体に記録したサンプルを固定するホルダが正面（０度）の位置で観察したときの画像
【図１】
2007256229.tif 000003
【図２】
2007256229.tif 000004
【図３】
2007256229.tif 000005
【図４】
2007256229.tif 000006
【図５】
2007256229.tif 000007
【図６】
2007256229.tif 000008
【図７】
2007256229.tif 000009
【図８】
2007256229.tif 000010
【図９】
2007256229.tif 000011
【図１０】
2007256229.tif 000012
【図１１】
2007256229.tif 000013
【図１２】
2007256229.tif 000014
【図１３】
2007256229.tif 000015
【図１４】
2007256229.tif 000016
【図１５】
2007256229.tif 000017